(57)【要約】【課題】簡単に設置することができ、かつ持ち運び可能な監視装置を提供する。【解決手段】監視装置１は、所定の場所を撮像するカメラ１１０と、通信ネットワークに無線で接続する通信機器と、カメラ１１０により撮像された動画像又は静止画像を、通信機器を用いて通信ネットワークに接続されている機器に送信する画像送信手段と、マイクと、前記マイクにより取得された音声を、前記通信機器を用いて通信ネットワークに接続されている機器に送信する音声送信手段と、スピーカと、アンプと、通信ネットワークに接続されている機器から送信された音声を受信し、受信した音声を前記アンプにより出力を調整し、出力を調整された音声を前記スピーカにより出力する音声受信手段と、これらすべてを収容する本体ケース１０とで構成されている。【選択図】図１
2011049916.tif 000002
【特許請求の範囲】
【請求項１】
所定の場所を撮像するカメラと、
通信ネットワークに無線で接続する通信機器と、
前記カメラにより撮像された動画像又は静止画像を、前記通信機器を用いて通信ネットワークに接続されている機器に送信する画像送信手段と、
前記カメラ、前記通信機器、及び前記画像送信手段を収容する本体ケースと
を有する監視装置。
【請求項２】
所定の場所の音声を取得するマイクと、
前記マイクにより取得された音声を、前記通信機器を用いて通信ネットワークに接続されている機器に送信する音声送信手段と、
音声を出力するスピーカと、
音声の出力を調整するアンプと、
通信ネットワークに接続されている機器から送信された音声を受信し、受信した音声を前記アンプにより出力を調整し、出力を調整された音声を前記スピーカにより出力する音声受信手段と
をさらに有し、
前記本体ケースは、前記マイク、前記音声送信手段、前記スピーカ、前記アンプ、及び前記音声受信手段をさらに収容する
請求項１に記載の監視装置。
【請求項３】
前記本体ケース内に外部の空気を吸気する送風機と、
前記本体ケース内の温度に応じて、前記送風機を制御する換気制御手段と
をさらに有する請求項１又は２に記載の監視装置。
【発明の詳細な説明】
【技術分野】
【０００１】
本発明は、監視装置に関するものである。
【背景技術】
【０００２】
例えば、特許文献１には、所定地域を撮像する監視カメラと、監視カメラに関連して設置され、監視関連情報を処理する監視側制御機器と、監視側制御機器と通信して監視関連情報を処理する操作側制御機器とを含み、これら機器のうち、少なくとも監視カメラ及び監視側制御機器は、耐候性を有するケーシング内にそれぞれ収容される火災監視設備が開示されている。
【先行技術文献】
【特許文献】
【０００３】
【特許文献１】特開平１１−２５０３６９号公報
【発明の概要】
【発明が解決しようとする課題】
【０００４】
簡単に設置することができ、かつ持ち運び可能な監視装置を提供する。
【課題を解決するための手段】
【０００５】
本発明に係る監視装置は、所定の場所を撮像するカメラと、通信ネットワークに無線で接続する通信機器と、前記カメラにより撮像された動画像又は静止画像を、前記通信機器を用いて通信ネットワークに接続されている機器に送信する画像送信手段と、前記カメラ、前記通信機器、及び前記画像送信手段を収容する本体ケースとを有する。
【０００６】
好適には、所定の場所の音声を取得するマイクと、前記マイクにより取得された音声を、前記通信機器を用いて通信ネットワークに接続されている機器に送信する音声送信手段と、音声を出力するスピーカと、音声の出力を調整するアンプと、通信ネットワークに接続されている機器から送信された音声を受信し、受信した音声を前記アンプにより出力を調整し、出力を調整された音声を前記スピーカにより出力する音声受信手段とをさらに有し、前記本体ケースは、前記マイク、前記音声送信手段、前記スピーカ、前記アンプ、及び前記音声受信手段をさらに収容する。
【０００７】
好適には、前記本体ケース内に外部の空気を吸気する送風機と、前記本体ケース内の温度に応じて、前記送風機を制御する換気制御手段とをさらに有する。
【発明の効果】
【０００８】
本発明によれば、任意場所に持ち運んだ監視装置を簡単に設置でき、監視装置を設置された任意場所を遠隔地から監視することができる。
【図面の簡単な説明】
【０００９】
【図１】監視装置１を正面側から見た斜視図である。
【図２】監視装置１を背面側から見た斜視図である。
【図３】監視装置１の蓋２０を開いた状態を例示する平面図である。
【図４】監視システム３００の全体構成を例示する図である。
【図５】監視装置１の使用例を示す図である。
【発明を実施するための形態】
【実施例１】
【００１０】
図１及び図２は、監視装置１を正面側及び背面側から見た斜視図である。
図１及び図２に例示するように、監視装置１は、監視処理を実行する各機器（図３を用いて後述）を本体ケース１０に収容する。本実施例では、本体ケース１０には、開閉可能な蓋２０が設けられている。この蓋２０には、スピーカカバー３０、カメラカバー４０、マイクカバー５０、及び錠つまみ７０が設けられている。また、本体ケース１０には、吸気カバー５０、排気カバー７０、及び電源ケーブル８０が設けられている。
なお、本体ケース１０及び蓋２０の形状は、特に限定するものではない。また、本体ケース１０及び蓋２０は、収容する機器が外部と無線で通信できるように、電波を通す素材で形成される。例えば、本体ケース１０及び蓋２０の素材は、合成樹脂などである。
【００１１】
スピーカカバー３０は、本体ケース１０に収容されているスピーカ１３０（図３を用いて後述）の外面を覆い、スピーカ１３０から出力される音声を通す。また、スピーカカバー３０は、衝撃、塵、及び水などからスピーカ１３０を保護する。なお、スピーカカバー３０の本体ケース１０において設けられる位置、形状、及びサイズは、特に限定するものではない。
【００１２】
カメラカバー４０は、本体ケース１０に収容されているカメラ１１０（図３を用いて後述）の外面を覆い、カメラ１１０の視野を阻害しないように透明な素材で形成されている。本実施例では、カメラカバー３０は、カメラ１１０の視野角も阻害しないようにドーム状に形成されている。また、カメラカバー４０は、衝撃、塵、及び水などからカメラ１１０を保護する。なお、カメラカバー４０の本体ケース１０において設けられる位置、形状、及びサイズは、特に限定するものではない。
【００１３】
マイクカバー５０は、本体ケース１０に収容されているマイク１４０（図３を用いて後述）の外面を覆い、外部から発せられた音声を通す。また、マイクカバー５０は、衝撃、塵、及び水などからマイク１４０を保護する。なお、マイクカバー５０の本体ケース１０において設けられる位置、形状、及びサイズは、特に限定するものではない。
【００１４】
吸気カバー６０は、本体ケース１０に収容されている送風機１５０の吸気側の外面を覆い、吸気された外部の空気を通す。また、吸気カバー６０は、衝撃、塵、及び水などから本体ケース１０に収容されている機器を保護する。なお、吸気カバー６０の本体ケース１０において設けられる位置、形状、及びサイズは、特に限定するものではない。
【００１５】
錠つまみ７０は、蓋２０の裏面に設けられた錠１８０（図３参照）と連動し、蓋２０を本体ケース１０に対して施錠するための操作部品である。なお、錠つまみ７０の本体ケース１０において設けられる位置、形状、及びサイズは、特に限定するものではない。
【００１６】
排気カバー８０は、吸気カバー６０から吸気された外部の空気に反し、本体ケース１０内から排出される空気を通す。また、排気カバー８０は、衝撃、塵、及び水などから本体ケース１０に収容されている機器を保護する。なお、排気カバー８０の本体ケース１０において設けられる位置、形状、及びサイズは、特に限定するものではない。
【００１７】
電源ケーブル９０は、本体ケース１０に収容されている電源タップ１７０から延びており、電源に接続することにより、電源から供給される電気を通す。
【００１８】
図３は、監視装置１の蓋２０を開いた状態を例示する平面図である。
図３に例示するように、本体ケース１０には、カメラ１１０、ルータ１２０、スピーカ１３０、マイク１４０、送風機１５０、アンプ１６０、及び電源タップ１７０が収容されている。
また、カメラ１１０は、通信ケーブル２１０によりルータ１２０に接続している。通信ケーブル２１０は、データを送るためのケーブルであり、例えば、ＬＡＮ(Local Area Network)ケーブルなどである。
マイク１４０は、入力ケーブル２２０によりカメラ１１０に接続している。入力ケーブル２２０は、音声の電気信号を通すケーブルである。
スピーカ１３０は、出力ケーブル２３０によりアンプ１６０に接続している。アンプ１６０は、出力ケーブル２３０により、カメラ１１０に接続している。出力ケーブル２３０は、音声の電気信号を通すケーブルである。
カメラ１１０、ルータ１２０、送風機１５０、及びアンプ１６０は、電源ケーブル２４０により電源タップ１７０に接続している。電源ケーブル２４０は、電気を通すケーブルである。
【００１９】
カメラ１１０は、カメラカバー４０を通し、本体ケース１０の外部を撮像する。本実施例では、カメラ１１０は、撮像した動画像又は静止画像（以下、「監視画像」という。）を、ルータ１２０を介して、通信ネットワークに接続されている機器に送信する（画像送信手段）。また、カメラ１１０は、マイク１４０により取得された音声を、ルータ１２０を介して、通信ネットワークに接続されている機器に送信する（音声送信手段）。また、カメラ１１０は、ルータ１２０を介して、通信ネットワークに接続されている機器から送信された音声を受信し、受信した音声をスピーカ１３０から出力する（音声受信手段）。なお、通信ネットワークは、携帯電話通信網３２０及びインターネット３４０（図４参照）などを含む。また、本実施例では、カメラ１１０が画像送信手段、音声送信手段、及び音声受信手段を有しているが、これら各手段をカメラ１１０以外の機器（例えば、コンピュータなど）に代替させてもよい。
【００２０】
ルータ１２０（通信機器）は、通信ネットワークに接続する。カメラ１１０は、ルータ１２０を介して、通信ネットワークに接続されている機器と通信する。本実施例では、ルータ１２０は、無線により通信ネットワークに接続する。
【００２１】
スピーカ１３０は、音声を外部に出力する。本実施例では、スピーカ１３０は、カメラ１１０から出力され、アンプ１６０により増幅された音声を外部に出力する。
【００２２】
マイク１４０は、外部において発せられた音声を取得し、取得した音声をカメラ１１０に送信する。
【００２３】
送風機１５０は、外部の空気を吸気し、本体ケース１０の内部温度が上昇するのを防ぐ。本実施例では、送風機１５０は、本体ケース１０内の温度に応じて、動作を制御する（換気制御手段）。より具体的には、送風機１５０は、温度センサに接続されており、この温度センサからの出力に応じて、本体ケース１０内の温度が所定の温度を超えると、起動し、本体ケース１０内の温度に応じて、一定時間に吸気する空気の量を変える。また、送風機１５０は、本体ケース１０内の温度が所定の温度以下である場合に、停止する。
【００２４】
アンプ１６０は、カメラ１１０から出力された音声を増幅する。具体的には、アンプ１６０は、利用者により設定された増幅量で、スピーカに出力される音声信号を増幅させる。
【００２５】
電源タップ１７０は、電源ケーブル９０により外部電源から供給された電気を、電源ケーブル２４０により接続している機器に分配する。なお、電源タップ１７０は、外部電源ではなく、本体ケース内部に設けたバッテリーから電気を供給してもらうようにしてもよい。
【００２６】
以上説明したような機器を収容する監視装置１は、持ち運び可能なサイズ及び重量で構成されることができる。また、監視装置１は、監視処理を実行するための機器を一体的に収容しているので、持ち運びが容易である。さらに、監視装置１は、電源ケーブル９０を電源に接続するだけで、自動的に通信ネットワークへ接続し、画像送信及び音声送受信などの監視処理を実行する。このため、監視装置１は、簡単に、かつ電源があり、無線の電波が届く場所であれば、任意の場所に設置されることができる。
【００２７】
図４は、監視システム３００の全体構成を例示する図である。
図４に例示するように、監視システム３００は、監視装置１と、監視端末３５０と、監視情報配信サーバ３６０とを有する。
監視装置１は、ルータ１２０により、基地局３１０を介して携帯電話通信網３２０に、無線で接続する。そして、監視装置１は、ゲートウェイ３３０を介してインターネット３４０に接続する。基地局３１０は、携帯電話通信網３２０に接続している。ゲートウェイ３３０は、携帯電話通信網３２０及びインターネット３４０に接続している。監視装置３５０及び監視情報配信サーバ３２０は、インターネットに接続している。
【００２８】
監視装置１は、カメラ１１０により撮像した監視画像、及びマイク１４０により取得した音声を、監視端末３５０に送信する。また、監視装置１は、監視端末３５０から送信された音声を受信し、受信した音声をスピーカ１３０により外部に出力する。
本実施例では、監視装置１に収容されているカメラ１１０は、Ｗｅｂサーバをインストールされている。監視装置１は、Ｗｅｂサーバにより、監視端末３５０のＷｅｂブラウザからの要求に応じて、カメラ１１０により撮像した監視画像、及びマイク１４０により取得した音声を、監視端末３５０のＷｅｂブラウザに送信する。また、監視装置１は、監視端末３５０のＷｅｂブラウザから送信された音声を受信し、受信した音声をスピーカ１３０により外部に出力する。
さらに、本実施例では、監視装置１は、カメラ１１０により撮像した監視画像、及びマイク１４０により取得した音声を、定期的に監視情報配信サーバ３２０に送信する。
【００２９】
基地局３１０は、監視装置１と電波を送受信することにより、監視装置１と携帯電話通信網３２０及びインターネット３４０上の機器との間で行われる通信を中継する。
【００３０】
ゲートウェイ３３０は、携帯電話通信網３２０とインターネット３４０とを相互接続し、これらネットワーク間で異なる通信プロトコルの変換を行いつつ、これらネットワーク間で行われる通信を中継する。
【００３１】
監視端末３５０は、ＣＰＵ及び記憶媒体などを備えるコンピュータである。監視端末３５０は、監視装置１から、監視画像及び音声を受信し、受信した監視画像及び音声を出力又は記憶媒体に格納する。また、監視端末３５０は、音声を取得し、取得した音声を監視装置１に送信する。
本実施例では、監視端末３５０は、Ｗｅｂブラウザをインストールされている。監視端末３５０は、Ｗｅｂブラウザにより、監視装置１のＷｅｂサーバに接続し、監視装置１のＷｅｂサーバに監視画像及び音声を要求する。そして、監視端末３５０は、Ｗｅｂブラウザにより、監視装置１のＷｅｂサーバから監視画像及び音声を受信し、受信した監視画像及び音声を、ディスプレイ及びスピーカにより出力し、さらに記憶媒体に格納する。また、監視端末３５０は、マイクにより音声を取得し、Ｗｅｂブラウザにより、取得した音声を監視装置１に送信する。
また、監視端末３５０は、監視装置１から直接、監視画像及び音声を受信する代わりに、監視情報配信サーバ３６０から監視画像及び音声を受信するようにしてもよい。
【００３２】
監視情報配信サーバ３６０は、ＣＰＵ及び記憶媒体などを備えるコンピュータである。監視情報配信サーバ３６０は、監視装置１から受信した監視画像及び音声を記憶媒体に蓄積し、監視端末３５０の要求に応じて、記憶媒体に蓄積している監視画像及び音声を監視端末３５０に送信する。
本実施例では、監視情報配信サーバ３６０は、Ｗｅｂサーバをインストールされている。監視情報配信サーバ３６０は、Ｗｅｂサーバにより、監視端末３５０のＷｅｂブラウザからの要求に応じて、記憶媒体に蓄積している監視画像及び音声を監視端末３５０に送信する。
【００３３】
図５は、監視装置１の使用例を示す図である。
図５に例示するように、監視者４２０は、監視装置１を各作業現場（Ａ、Ｂ、及びＣ）に設置することで、各作業現場における作業者４１０の作業状況を、遠隔地において監視端末３５０を用いて把握することができる。また、監視者４２０は、監視端末３５０を用いて、各作業現場に設置された監視装置１と、音声を送受信することで、各作業現場における作業者４１０と通話することもできる。このように、監視者４２０は、監視装置１を使用することにより、作業現場にいなくとも、各作業現場における作業者４２０を監督することができる。
なお、監視装置１を設置できる場所は、作業現場に限定するものではなく、電源があり、無線の電波が届く場所（電源をバッテリーに代用する場合は、電源も不要）であれば、何処でもよい。
【００３４】
以上説明したように、監視装置１は、電源を投入されるだけの簡単な設置により、監視システム１の一部として動作し、設置された場所を監視することができる。また、監視装置１は、無線により通信ネットワークに接続するので、わざわざ有線の通信ケーブルを引いてくる必要がなく、特に工期の短い作業現場を監視する場合には、設置のための煩わしさがなくなる。また、監視装置１は、本体ケース１０などにより防水及び防塵対策されているため、屋外に設置されても問題ない。
【符号の説明】
【００３５】
１      監視装置
１０    本体ケース
２０    蓋
３０    スピーカカバー
４０    カメラカバー
５０    マイクカバー
６０    吸気カバー
７０    錠つまみ
８０    排気カバー
９０    電源ケーブル
１１０  カメラ
１２０  ルータ
１３０  スピーカ
１４０  マイク
１５０  送風機
１６０  アンプ
１７０  電源タップ
２１０  通信ケーブル
２２０  入力ケーブル
２３０  出力ケーブル
２４０  電源ケーブル
３００  監視システム
３１０  基地局
３２０  携帯電話通信網
３３０  ゲートウェイ
３４０  インターネット
３５０  監視端末
３６０  監視情報配信サーバ
４１０  作業者
４２０  監視者
【図１】
2011049916.tif 000003
【図２】
2011049916.tif 000004
【図３】
2011049916.tif 000005
【図４】
2011049916.tif 000006
【図５】
2011049916.tif 000007